【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
レンズユニットを着脱可能な撮像装置であって、
１つのマイクロレンズに対応するフォトダイオードを複数備える画素を複数備える撮像素子と、
前記撮像素子から出力される信号に基づいて、コントラスト検出方式による焦点検出を行う第１の焦点検出手段と、
前記撮像素子から出力される一対の像信号に基づいて、位相差検出方式による焦点検出を行う第２の焦点検出手段と、
前記第１の焦点検出手段または前記第２の焦点検出手段により検出された合焦位置に基づいて、合焦制御を行う制御手段と、を有し、
前記制御手段は、装着されたレンズユニットの撮影光学系の収差により生じる位相差検出方式による合焦位置のずれに関する第１の情報を前記レンズユニットから受信し、当該第１の情報に応じて、前記第２の焦点検出手段を合焦制御に用いるか否かを決定することを特徴とする撮像装置。
【請求項２】
前記制御手段は、前記レンズユニットから受信した前記第１の情報が、撮影光学系の収差により生じる位相差検出方式による合焦位置のずれがないことを示す情報である場合、前記第２の焦点検出手段を用いて合焦制御を行うことを特徴とする請求項１に記載の撮像装置。
【請求項３】
前記制御手段は、前記レンズユニットから受信した前記第１の情報が、撮影光学系の収差により生じる位相差検出方式による合焦位置のずれがあることを示す情報であって、かつ、該合焦位置のずれを補正するための補正値を有することを示す情報である場合、前記第２の焦点検出手段を用いて合焦制御を行うことを特徴とする請求項１または２に記載の撮像装置。
【請求項４】
前記制御手段は、さらに前記合焦位置のずれを補正するための補正値に関する第２の情報を受信し、当該第２の情報を用いて前記第２の焦点検出手段により検出された合焦位置を補正することを特徴とする請求項３に記載の撮像装置。
【請求項５】
前記制御手段は、前記レンズユニットから受信した前記第１の情報が、撮影光学系の収差により生じる位相差検出方式による合焦位置のずれがあることを示す情報であって、かつ、該合焦位置のずれを補正するための補正値を有しないことを示す情報である場合、前記第１の焦点検出手段を用いて合焦制御を行うことを特徴とする請求項１乃至４のいずれか１項に記載の撮像装置。
【請求項６】
前記制御手段は、所定の通信方式に対応する第１のレンズユニットが装着された場合、前記所定の通信方式により前記第１の情報を取得するための通信を行い、前記所定の通信方式に対応しない第２のレンズユニットが装着された場合、当該第２のレンズユニットの種別情報を取得するための通信を行うことを特徴とする請求項１乃至５のいずれか１項に記載の撮像装置。
【請求項７】
前記第２のレンズユニットが装着された場合、前記制御手段は、受信した前記種別情報に基づいて、撮影光学系の収差により生じる位相差検出方式による合焦位置のずれが所定値より小さいか否かを判定し、当該合焦位置のずれが前記所定値より小さい場合、前記第２の焦点検出手段を用いて合焦制御を行うことを特徴とする請求項６に記載の撮像装置。
【請求項８】
前記合焦位置のずれが前記所定値以上の場合、前記制御手段は、前記種別情報に対応する補正値を前記撮像装置内に有するか否かを判定し、前記補正値を前記撮像装置内に有する場合、該補正値を用いて前記第２の焦点検出手段により検出された合焦位置を補正して合焦制御を行うことを特徴とする請求項６または７に記載の撮像装置。
【請求項９】
前記種別情報に対応する補正値を前記撮像装置内に有しない場合、前記制御手段は、前記第１の焦点検出手段を用いて合焦制御を行うことを特徴とする請求項８に記載の撮像装置。
【請求項１０】
前記レンズユニットの合焦位置のずれを補正するための補正値を登録する登録手段を更に有し、
前記制御手段は、前記登録手段に登録された前記補正値を用いて前記第２の焦点検出手段により検出された合焦位置を補正して合焦制御を行うことを特徴とする請求項１乃至９のいずれか１項に記載の撮像装置。
【請求項１１】
前記撮像素子は、１つのマイクロレンズに対応する複数の前記フォトダイオードがそれぞれ撮影光学系の互いに異なる瞳領域からの光を受光することで、前記一対の像信号を生成するように構成されていることを特徴とする請求項１乃至１０のいずれか１項に記載の撮像装置。
【請求項１２】
請求項１乃至１１のいずれか１項に記載の撮像装置と、
前記撮像装置に着脱可能な前記レンズと、を有することを特徴とする撮像システム。
【請求項１３】
撮像装置に着脱可能なレンズユニットであって、
撮影光学系と、
装着された撮像装置と情報を通信するレンズ制御手段と、を有し、
前記レンズ制御手段は、前記撮影光学系の収差により生じる位相差検出方式による合焦位置のずれに関する第１の情報を前記撮像装置に送信し、
前記第１の情報は、前記合焦位置のずれがあることを示すとともに、当該合焦位置のずれを補正するための補正値についての情報を含むことを特徴とするレンズユニット。
【請求項１４】
１つのマイクロレンズに対応するフォトダイオードを複数備える画素を複数備える撮像素子を有し、レンズユニットを着脱可能な撮像装置の制御方法であって、
前記撮像素子から出力される信号に基づいて、コントラスト検出方式による焦点検出を行う第１の焦点検出ステップと、
前記撮像素子から出力される一対の像信号に基づいて、位相差検出方式による焦点検出を行う第２の焦点検出ステップと、
前記第１の焦点検出ステップまたは前記第２の焦点検出ステップにより検出された合焦位置に基づいて、合焦制御を行う制御ステップと、を有し、
前記制御ステップにおいて、装着されたレンズユニットの撮影光学系の収差により生じる位相差検出方式による合焦位置のずれに関する第１の情報を前記レンズユニットから受信し、当該第１の情報に応じて、前記第２の焦点検出手段を合焦制御に用いるか否かを決定することを特徴とする撮像装置の制御方法。
【請求項１５】
撮影光学系を有し、撮像装置に着脱可能なレンズユニットの制御方法であって、
装着された撮像装置と情報を通信するレンズ制御ステップを有し、
前記レンズ制御ステップにおいて、前記撮影光学系の収差により生じる位相差検出方式による合焦位置のずれに関する第１の情報を前記撮像装置に送信し、
前記第１の情報は、前記合焦位置のずれがあることを示すとともに、当該合焦位置のずれを補正するための補正値についての情報を含むことを特徴とするレンズユニットの制御方法。
【手続補正２】
【補正対象書類名】明細書
【補正対象項目名】発明の名称
【補正方法】変更
【補正の内容】
【発明の名称】撮像装置、撮像システム、レンズユニット、撮像装置の制御方法、およびレンズユニットの制御方法
【手続補正３】
【補正対象書類名】明細書
【補正対象項目名】０００８
【補正方法】変更
【補正の内容】
【０００８】
本発明の一側面としての撮像装置は、レンズユニットを着脱可能な撮像装置であって、１つのマイクロレンズに対応するフォトダイオードを複数備える画素を複数備える撮像素子と、前記撮像素子から出力される信号に基づいて、コントラスト検出方式による焦点検出を行う第１の焦点検出手段と、前記撮像素子から出力される一対の像信号に基づいて、位相差検出方式による焦点検出を行う第２の焦点検出手段と、前記第１の焦点検出手段または前記第２の焦点検出手段により検出された合焦位置に基づいて、合焦制御を行う制御手段と、を有し、前記制御手段は、装着されたレンズユニットの撮影光学系の収差により生じる位相差検出方式による合焦位置のずれに関する第１の情報を前記レンズユニットから受信し、当該第１の情報に応じて、前記第２の焦点検出手段を合焦制御に用いるか否かを決定する。
【手続補正４】
【補正対象書類名】明細書
【補正対象項目名】０００９
【補正方法】変更
【補正の内容】
【０００９】
本発明の他の側面としての撮像システムは、前記撮像装置と、前記撮像装置に着脱可能な前記レンズとを有する。
本発明の他の側面としてのレンズユニットは、撮像装置に着脱可能なレンズユニットであって、撮影光学系と、装着された撮像装置と情報を通信するレンズ制御手段と、を有し、前記レンズ制御手段は、前記撮影光学系の収差により生じる位相差検出方式による合焦位置のずれに関する第１の情報を前記撮像装置に送信し、前記第１の情報は、前記合焦位置のずれがあることを示すとともに、当該合焦位置のずれを補正するための補正値についての情報を含む。
本発明の他の側面としての撮像装置の制御方法は、１つのマイクロレンズに対応するフォトダイオードを複数備える画素を複数備える撮像素子を有し、レンズユニットを着脱可能な撮像装置の制御方法であって、前記撮像素子から出力される信号に基づいて、コントラスト検出方式による焦点検出を行う第１の焦点検出ステップと、前記撮像素子から出力される一対の像信号に基づいて、位相差検出方式による焦点検出を行う第２の焦点検出ステップと、前記第１の焦点検出ステップまたは前記第２の焦点検出ステップにより検出された合焦位置に基づいて、合焦制御を行う制御ステップと、を有し、前記制御ステップにおいて、装着されたレンズユニットの撮影光学系の収差により生じる位相差検出方式による合焦位置のずれに関する第１の情報を前記レンズユニットから受信し、当該第１の情報に応じて、前記第２の焦点検出手段を合焦制御に用いるか否かを決定する。
本発明の他の側面としてのレンズユニットの制御方法は、撮影光学系を有し、撮像装置に着脱可能なレンズユニットの制御方法であって、装着された撮像装置と情報を通信するレンズ制御ステップを有し、前記レンズ制御ステップにおいて、前記撮影光学系の収差により生じる位相差検出方式による合焦位置のずれに関する第１の情報を前記撮像装置に送信し、前記第１の情報は、前記合焦位置のずれがあることを示すとともに、当該合焦位置のずれを補正するための補正値についての情報を含む。